(57)【特許請求の範囲】
【請求項１】
綜絖枠に取り付けられるミドルフックハンガ−と、ヘルドの両端部を保持するヘルドバ−との両者をミドルフックで連結するようにした綜絖枠において、本体部と、該本体部に設けられて複数の綜絖枠に相対する位置に配置されたミドルフックの保持部を有することを特徴とする綜絖枠のミドルフック脱着装置。
【請求項２】
本体部は、複数の綜絖枠に装着されたミドルフックを一並びに一括挿入し得る開放部を備えた一対の板状部材を有する略箱形状に構成され、保持部は前記ミドルフックを一並びに一括保持し得るよう前記一対の板状部材と、該板状部材間に配置された保持ガイドにより構成され、更に一対の板状部材には、各ミドルフックを前記開放部より挿入する際、各ミドルフックに連結されたヘルドバ−を前記開放部より挿入し得る通し溝が設けられたことを特徴とする請求項１に記載の綜絖枠のミドルフック脱着装置。
【発明の詳細な説明】
【０００１】
【発明の属する技術分野】
本発明は、機替え時にヘルドを交換する際のミドルフック脱着装置に関し、その脱着作業を容易にし、作業時間を短縮するようにした装置に関する。
【０００２】
【従来の技術】
従来、ミドルフックの脱着作業を容易にする技術としては、例えば実開平１−１４１７８２号公報が知られている。これを図５に示して説明すると、１は綜絖枠で、上部の枠部材を示している。３はミドルフック、４はこのミドルフック３に挿通されて保持されるヘルドバー（キャリアロッド）で、このヘルドバー４に経糸が挿通される図外のヘルドの上端部が係止される。５は綜絖枠１の嵌合溝１１に取り付けられるミドルフックハンガーで、このミドルフックハンガー５の上側には前記綜絖枠１の嵌合溝１１に嵌合する取付部６が形成され、その下側にはミドルフック３のフックヘッド３１が係合する係合溝７１を備えたミドルフック取付部７が形成されている。ここで、ミドルフック取付部７において、その前面壁７２および後面壁７３のうち、後面壁７３がミドルフック挿入側に延長されて、前面壁７２よりも突出するガイド壁７４が形成されている。
【０００３】
そして、機替え作業等においてはミドルフック３をミドルフックハンガー５より離脱させ、更にミドルフック３をヘルドバー４から離脱させ、ヘルドバー４とヘルドを一体に取り出す。そして、新たな図外のワープビームからの経糸が通されたヘルドを係止したヘルドバー４にミドルフック３を装着し、その後ミドルフック３をミドルフックハンガー５に装着するのであるが、このときミドルフック３をミドルフックハンガー５のガイド壁７４に押し当てて、矢示Ａ方向に移動させることにより、係合溝７１内に容易に挿入することができる。
【０００４】
【発明が解決しようとする課題】
しかしながら、上記従来技術にあっては、機替え作業時にミドルフックを装着する際の作業性は良好になるものの、綜絖枠毎にミドルフックを一個ずつ脱着するものであるので、ミドルフック全数の脱着には多大な時間を要する。すなわち、織機一台あたりに使用する綜絖枠は通常４枚〜８枚、布種によっては１６枚程度使用する場合もある。またミドルフックハンガー５は、綜絖枠１の上部と下部に１０〜１５個程度づつ等間隔で設けてあり、これによりヘルドバー４を綜絖枠１に堅固に固定する。そのため、例えば使用綜絖枠が４枚でミドルフックハンガー５を綜絖枠１の上下に１０個設けた場合についても、綜絖枠の上部と下部で合計８０個も脱着する必要があり、ミドルフック３を一個づつ脱着する従来技術にあっては、多大な時間を要するのである。
そのため、ミドルフックの脱着を行わずに綜絖枠毎に交換する方式も知られているが、大型の綜絖枠全数をまとめて織機から取り出し、準備室へ移動して、新たなワープビームから経糸を引通す等、準備作業を行うための大がかりな準備装置を新設する必要があり、設備変更等多大な費用を要するため、採用し難い。
【０００５】
本発明は、このような従来の問題点に着目してなされたものであり、大幅な設備変更を行うことなく、機替え作業時等において、織機のミドルフックの脱着作業を極めて短時間で行えるようにすることを目的とする。
【０００６】
【課題を解決するための手段】
このため本発明は、第１に綜絖枠に取り付けられるミドルフックハンガ−と、ヘルドの両端部を保持するヘルドバ−との両者をミドルフックで連結するようにした綜絖枠において、本体部と、該本体部に設けられて複数の綜絖枠に相対する位置に配置されたミドルフックの保持部を有することを特徴とする。
【０００７】
そして第２に、本体部は、複数の綜絖枠に装着されたミドルフックを一並びに一括挿入し得る開放部を備えた一対の板状部材を有する略箱形状に構成され、保持部はミドルフックを一並びに一括保持し得るよう前記一対の板状部材と、該板状部材間に配置された保持ガイドにより構成され、更に一対の板状部材には、各ミドルフックを前記開放部より挿入する際、各ミドルフックに連結されたヘルドバ−を前記開放部より挿入し得る通し溝が設けられたことを特徴とする。
【０００８】
【発明の実施の形態】
発明の実施の形態を実施例にもとづき図面を参照して説明する。なお、従来技術として説明した同様の部材には、同一符号を付して説明を省略する。図１〜図４は本発明の実施例を示す図である。
まず、その構成を図１〜図３により説明する。図１は本発明の一実施例に係るミドルフック脱着装置とその関係部品の斜視図、図２は機替え作業時のミドルフックの脱着手順を示す説明図、図３は図２の要部説図である。なお、綜絖枠１は上下対称に構成されているので、上部のみを示して説明する。
【０００９】
図１を参照し、２ａはミドルフック脱着装置２の本体部で、間隔をおいて配置される複数の綜絖枠１の枚数分（この例では４枚分）を架橋する長さを有する部位Ａ，Ｂが中央部２ｂを中心として左右対称に形成されている。そして、本体部２ａは対峙する一対の板状部材２２，２３により略箱形状に形成され、中央部２ｂを中心として両側部位Ａ，Ｂにそれぞれ綜絖枠１の枚数分（４枚分）のミドルフック３を本体部２ａの長手方向に一並びに挿入し得る開放部２１を備えており、前記一対の板状部材２２，２３の間には両側部位Ａ，Ｂにそれぞれ複数本、例えば５本のピンで構成した保持ガイド２５が取り付けられている。これら一対の板状部材２２，２３と保持ガイド２５により、複数の綜絖枠に装着されたミドルフック３を一並びに一括保持するミドルフック３の保持部として構成される。この保持ガイド２５は本体部２ａの両側部位Ａ，Ｂに４カ所づつ設けてあり、この４カ所の保持ガイド２５の間隔は複数の綜絖枠１の間隔と同じであるので、複数の綜絖枠１の相対する位置に保持ガイド２５が位置しており、この位置で保持ガイド２５と対峙する一対の板状部材２２，２３の内側面でミドルフック３が保持されることになる。
【００１０】
なお、ミドルフック３は弾性質を有する樹脂材で形成されるのが一般的で、本実施例では保持ガイド２５がミドルフック３を保持する際、ミドルフック３が若干圧入状態となるよう保持ガイド２５の寸法を定めてあり、これによりミドルフック３が堅固に保持され、本体部２ａを下に向けてもミドルフック３は落下することがない。また、保持ガイド２５は図３（ａ）の二点鎖線で示すように、ミドルフック３に挿通されたヘルドバー４の上部４ａよりも下側に位置するようにしてあり、これによりヘルドバー４をミドルフック３から取り外す際に、そのフックヘッド３１側が十分弾性変形し、ミドルフック３が保持ガイド２５に堅固に拘束されたまま、ヘルドバー４を容易に取り出せるようにしてある。更にまた、一対の板状部材２２，２３には、両側部位Ａ，Ｂに綜絖枠の枚数分のミドルフック３に連結したヘルドバ−４を開放部２１より挿入し得る通し溝２４が設けられている。以上のように、本体部２ａは両側部位Ａ，Ｂにおいて、それぞれ綜絖枠の枚数分のミドルフック３を一並びに一括保持することができるので、部位Ａ，Ｂで２カ所の並びについて脱着作業を行うことができる。
【００１１】
次に、上記の実施例の作用として機替え作業時のミドルフックの脱着手順を図２（ａ）〜（ｄ），図３（ａ），（ｂ）により説明する。なお、図３（ａ）は図２（ａ）の要部説明図で、一対の板状部材２２，２３の間を両者に平行な面（直立面）で切断した断面を示してある。図３（ｂ）は図３（ａ）の本体部２ａ側を示す平面図で一点鎖線Ｃを水平面で切断した断面を一部示してある。ここで、機降ろしを作業を行う場合、図２（ａ）に示す本体部２ａの図示右側部位Ｂを掴み、本体部２ａの左側部位Ａを図示する複数の綜絖枠１の上部の下側を架橋するよう持ち来し、保持ガイド２５を各綜絖枠１の相対する位置、すなわち各綜絖枠１のミドルフック３の真下になるよう位置させる。このとき、ミドルフック３と保持ガイド２５は図３（ａ）の状態となる。次に、図２（ｂ）に示すように、ミドルフック３を開放部２１より挿入し、本体部２ａの長手方向に一並びに一括保持させるが、同時にヘルドバ−４は一対の板状部材２２，２３に形成した通し溝２４に通される。このとき、保持ガイド２５は図３（ａ）の２点鎖線で示す状態となる。
【００１２】
その後、図２（Ｃ）に示すように、本体部２ａを矢示Ｘ方向へ移動させ、ミドルフック３をミドルフックハンガ−５から離脱させる。そして、図２（ｄ）に示すように、本体部２ａを時計方向に回転させて、ミドルフック３をヘルドバ−４から取り外す。
その後、機掛け作業時にミドルフック３をミドルフックハンガ−５に取り付ける作業になるが、その作業は上記取り外しの場合と全く逆の手順を行えばよいので、説明を省略する。
【００１３】
なお、ミドルフックハンガー５は一枚の綜絖枠１に対し上部の一箇所のみを図示したが、綜絖枠１の長手方向（織巾方向）に対し、上下部にそれぞれ１０〜１５個程度等間隔に設けてあるので、上記実施例で示す箇所以外の箇所については、前記ミドルフック３を保持したまま前記本体部２ａの左側部位Ａに持ち替え、右側部位Ｂを使用してミドルフック３を保持するようにする。また、更に別の箇所でミドルフック３を取り外すには、両側部位Ａ，Ｂで保持されているミドルフック３を取り出して再度使用してもよいが、好ましくは取り出さずに別のミドルフック脱着装置２を用いるようにするのがよい。その場合には、機掛け作業時においても両側部位Ａ，Ｂにミドルフック３を保持したままの状態で前記図２（ｄ）から図２（ａ）までの取り付け作業を行うことができるので、ミドルフック３に手を触れることなく脱着作業性が行なえ、作業性が極めて良好となる。
【００１４】
なお、上記実施例の本体部２ａでは、中央部２ｂを中心に両側部位Ａ，Ｂを設け、複数の綜絖枠１の枚数分のミドルフック３を２カ所の並びで脱着作業が行えるようにしたが、中央部２ｂで両側部位Ａ，Ｂを分割してもよい。このとき、例えば綜絖枠の枚数が８枚，１６枚等多くなった場合に、ミドルフック３の一並びを４個づつ脱着するようにし、その際に本体部２ａが小型であるので、作業性が良好である。また、上記実施例の本体部２ａに設けた両側部位Ａ，Ｂと同等形状のものを本体部２ａの上下に対象的に設ければ、左右及び上下について合計４カ所の並びで脱着作業を行うことができ、これによりミドルフック脱着装置２の数をより少なくすることができる。
【００１５】
図４（ａ）〜図４（ｃ）は本発明の他の実施例を示し、上記実施例では保持ガイド２５を複数のピンで構成した場合を示したが、図４（ａ）では、ミドルフック３を保持する凹部３５ａ形成した保持ガイド３５を、一対の板状部材２２，２３の間に一体的に形成した例を示し、これを樹脂材で一体成形すれば、保持ガイド３５等の組み付け作業が不要となる上、軽量であるのでミドルフック３の脱着作業も良好となる。また、保持ガイド３５上部の凹部３５ａ間には、弾性部材としてのＵ字状の板ばね５０が設けてあり、この板ばね５０はミドルフック３が凹部３５ａに挿入されて保持される際、ミドルフック３を付勢力により挟持するよう作用し、これにより保持状態がより確実になり、本体部２ａを逆さにしても、ミドルフック３が落下するのを確実に防止することができる。
【００１６】
図４（ｂ）は図４（ａ）と同様にミドルフック３を保持する凹部４５ａを形成した保持ガイド４５を一対の板状部材２２，２３間に一体的に形成し、更に凹部４５ａの開放部側に拡大部４５ａを形成して、ミドルフック３が凹部４５ａ内に挿入し易くしてある。また、凹部４５ａにはウレタン５１等の柔軟性の高い樹脂材を貼付けてあり、これによりウレタン５１がミドルフック３の形状に倣って変形しながら密着するので、その弾性力及び摩擦力によってミドルフック３を確実に保持することができる。なお、柔軟性の高い樹脂材としてウレタン５１に代えてゴム等を用いてもよい。なお、図１に示すように、複数本のピンで構成した保持ガイド２５を設けた場合にも、保持ガイド２５に板ばねや柔軟性の高い樹脂材を取り付けるようにしてもよいことは言うまでもない。また、図４（ｃ）は、本体部２ａの下側に取っ手５２を設けたもので、これにより、図２（ｄ）にて本体部２ａを時計方向に回転させる際、取っ手５２を掴むことにより、作業性が良好となる。
【００１７】
【発明の効果】
以上説明してきたように、本発明は、本体部に設けられ、複数の綜絖枠に相対する位置に配置したミドルフックの保持部を有するミドルフック脱着装置により、複数のミドルフックを一並びに一括保持して脱着できるようにしたので、機替え作業時にヘルドを交換する際、ミドルフック脱着作業の時間を短縮することができる。
【００１８】
更に、本体部をミドルフックが一並びに一括挿入される開放部を備えた一対の板状部材を有する略箱形状に構成し、保持部を各ミドルフックが一定間隔で保持されるよう前記一対の板状部材と、板状部材間に配置された保持ガイドで構成し、更に一対の板状部材に各ミドルフックに連結されたヘルドバーが前記開放部より挿入し得る通し溝を設けるようにすれば、構造が簡素でありながら、ミドルフックの脱着作業時にはミドルフックをミドルフックハンガー及びヘルドバーに対して容易且つ確実に脱着させることができる。
【図面の簡単な説明】
【図１】    本発明の一実施例を示す斜視説明図
【図２】    図１に示す装置のミドルフック脱着作業手順を示す斜視説明図
【図３】    図２の要部説明図
【図４】    本発明の他の実施例を示す説明図
【図５】    従来装置を示す斜視説明図
【符号の説明】
１    綜絖枠
２    ミドルフック脱着装置
２ａ  本体部
３    ミドルフック
４    ヘルドバ−
５    ミドルフックハンガ−
２１    開放部
２２    板状部材（保持部）
２３    板状部材（保持部）
２４    通し溝
２５    保持ガイド（保持部）
３５    保持ガイド（保持部）
４５    保持ガイド（保持部）
【図１】
0003713854.tif 000002
【図２】
0003713854.tif 000003
【図３】
0003713854.tif 000004
【図４】
0003713854.tif 000005
【図５】
0003713854.tif 000006